(57)【特許請求の範囲】
【請求項１】
カードリーダ本体部と、
前記カードリーダ本体部に形成され、接触式カード及び非接触式カードが挿入されるカード挿入口と、
前記カード挿入口内に具備され、回転に従って接触式カードを前記カード挿入口内に通過させるか、又は、接触により非接触式カードを前記カード挿入口で移動を制限する回転ガイド部と、
を含むことを特徴とするカードリーダ。
【請求項２】
接触式カード認識モジュールと非接触式カード認識モジュールが、前記接触式カード及び前記非接触式カードを認識するために前記カード挿入口に備えられることを特徴とする請求項１に記載のカードリーダ。
【請求項３】
カードリーダ本体部と、
前記カードリーダ本体部に備えられる接触式カード認識モジュールと、
前記カードリーダ本体部に備えられ、非接触式カード認識モジュールを有する回路基板と、
前記カードリーダ本体部に形成され、接触式カード及び非接触式カードが挿入されるカード挿入口と、
前記カード挿入口内に回転自在に備えられる回転ガイド部と、を含んでいるガードリーダにおいて、
前記回転ガイド部は、回転に従って接触式カードをカード挿入口に通過させることにより前記接触式カード認識モジュールで前記接触式カードを認識させ、前記非接触式カードを前記カード挿入口に挿入した後に接触によって移動を制限することにより、前記非接触式カード認識モジュールで前記非接触式カードを認識させることを特徴とするカードリーダ。
【請求項４】
前記カードリーダが、前記回路基板に外部電子機器と前記カードリーダ本体部を電気的に接続する第１及び第２の接続端子をさらに含み、
前記第１の接続端子は、接続ジャックからなり、前記第２の接続端子は、ＵＳＢ端子からなることを特徴とする請求項３に記載のカードリーダ。
【請求項５】
前記カードリーダが、前記カードリーダ本体部内に前記接触式カード認識モジュール及び前記非接触式カード認識モジュールに電源を供給するバッテリー部がさらに具備されることを特徴とする請求項３に記載のカードリーダ。
【請求項６】
前記接触式カードは、磁気ストライプを有する磁気カードであり、前記非接触式カードは、ＩＣチップを内蔵したＩＣカードであることを特徴とする請求項３に記載のカードリーダ。
【請求項７】
前記回転ガイド部は、
前記カード挿入口に形成される回転孔と、
前記回転孔に具備され、前記接触式カードと接触されると同時に回転して前記接触式カードを前記カード挿入口に挿入するようにガイドし、前記非接触式カードと接触されると同時に前記カード挿入口で前記非接触式カードの移動を制限する回転部と、
前記回転孔に隣接して位置し、前記回転部を回転可能に支持する回転ヒンジ部と、
前記回転部に結合され、前記回転部が回転するように弾性力を提供する弾性部材と、
を含むことを特徴とする請求項３に記載のカードリーダ。
【請求項８】
前記回転孔に前記回転部と接触されて前記回転部の回転を制限する接触ストッパ部がさらに具備されることを特徴とする請求項７に記載のカードリーダ。
【請求項９】
前記カードリーダ本体部の外部において前記カードリーダ本体部と結合されると同時に前記カードリーダ本体部を保護するカバー部がさらに具備されることを特徴とする請求項３に記載のカードリーダ。
【請求項１０】
前記接触式カードが前記カード挿入口の一方の入口に挿入されて通過する場合、前記接触式カードが、前記回転部に接触されると同時に前記回転部を回転させて前記カード挿入口から通過し、前記接触式カード認識モジュールが前記接触式カードに具備されている磁気ストライプを認識し、
前記非接触式カードが前記カード挿入口の前記一方の入口の反対側の他方の入口に挿入される場合、前記非接触式カードが前記回転部に接触されると同時に前記回転部が前記回転孔の接続ストッパ部に接続されて回転を制限して前記非接触式カードの移動を制限し、前記非接触式カード認識モジュールが前記非接触式カードに具備されているＩＣチップを認識することを特徴とする請求項８に記載のカードリーダ。
【発明の詳細な説明】
【技術分野】
【０００１】
本発明の多様な実施形態は、一のカード挿入口を介して接触式カード及び非接触式カードを両方とも使用可能とされるように構成されているカードリーダに関する。
【背景技術】
【０００２】
通常、カードリーダは、オン/オフ専用ラインを介して中継サーバ又はＶＡＮ社のサーバに接続されてクレジットカード決済業務が遂行されることが一般的である。
【０００３】
クレジットカードは、カードに情報を記録する方法により、大きく磁気ストライプ方式を使用する磁気カードと、集積回路(ＩＣ)チップを内蔵するスマートカードと呼ばれるＩＣカードがある。
【０００４】
ここで、磁気カードは接触式カードであり、ＩＣカードは非接触式カードである。
【０００５】
接触式カードは、磁気ストライプを有し、磁気ストライプにデータを格納する。
【０００６】
このような接触式カードの磁気ストライプを読み取るために別途に接触式カードリーダが必要である。
【０００７】
すなわち、接触式カードリーダは、磁気ヘッドが具備されており、カード挿入口を備えている。接触式カードリーダは、カード挿入口に上側から下側へ又は左側から右側へカードを通過させる場合に、接触式カードの裏面に付着された磁気ストライプに格納されたデータを磁気ヘッドによって読み取って画面に出力させ、以後に多様な情報を照会者に提供する。
【０００８】
また、非接触式カードは、一のチップにすべての情報を格納したＩＣチップを内蔵しているので、既存の磁気カードより格納容量が大きく、良好なセキュリティを有しているので、広範囲に亘って使用されている。
【０００９】
このような理由により、非接触式カードは、銀行の一般業務、クレジットカード、交通カード、身分証などに多様多様に使用されており、その上、電気マネーの機能を果たすこともできるので、混雑通行料、駐車料金、高速道路の通行料のような利用料の支払いだけでなく、インターネットショッピングモールで商品を購買するか、有料コンテンツを購買するために使用されている。
【００１０】
このような多様な使用が可能な非接触式カードをインターネット上で安定に使用するためには、非接触式カードリーダが必要である。すなわち、非接触式カードリーダは、カードリーダ本体部、信号処理部、ＲＦモジュール、アンテナ、及び印刷回路基板から構成されている。
【００１１】
非接触式カードリーダは、コネクタによりカードからデータを外部装置に伝送できる装置である。
【００１２】
しかしながら、従来の接触式カード又は非接触式カードを使用するために、各々接触式又は非接触式カードリーダを具備しなければならない点において、その使用は不便であった。
【００１３】
言い換えれば、ユーザーは、接触式カードを使用する場合、接触式カードリーダを具備し、ユーザーが非接触式カードを使用する場合、別に備えられる非接触式カードリーダを使用しなければならないという短所があった。
【００１４】
最近、このような短所を克服するために、接触式カード及び非接触式カードの両方を使用可能なカードリーダが開発された。
【００１５】
しかしながら、従来の接触式カード及び非接触式カードの使用を兼用するカードリーダは、カードリーダに接触式カード及び非接触式カードを滑り移動させる各々のカード挿入口が備えられているため、ユーザーが接触式カードの使用時に接触式カード専用カード挿入口に接触式カードを挿入させ、非接触式カードの使用時に別に備えられる非接触式カードの専用カード挿入口に挿入させなければならない点において、使用上の不便さが増加するという問題を有する。
【００１６】
従って、一のカード挿入口に接触式カード及び非接触式カードの両方を使用可能なカードリーダが求められている。
【発明の概要】
【発明が解決しようとする課題】
【００１７】
従って、本発明は上記した従来技術の問題点に鑑みてなされたものであって、その目的は、一のカードリーダ本体部に接触式カード及び非接触式カードを両方とも挿入させると同時に、認識可能なように一のカード挿入口を構成することにより、既存の各々備えられる接触式カードリーダと非接触式カードリーダの代わりに一のカードリーダのみが使用できるので、製品の使用を向上させるだけでなく、製品の追加購入コストを低減できるカードリーダを提供することにある。
【００１８】
本発明の他の目的は、一のカードリーダ本体部に形成されている一のカード挿入口を介して接触式カード及び非接触式カードを両方とも使用可能であるため、製品の使用を一層向上させるカードリーダを提供することにある。
【課題を解決するための手段】
【００１９】
上記のような目的を達成するために、本発明の一態様によれば、カードリーダ本体部と、カードリーダ本体部に形成され、接触式カード及び非接触式カードが挿入されるカード挿入口と、カード挿入口内に具備され、接触式カード及び非接触式カードを回転及び接触により前記カード挿入口に通過させるか、又は移動を制限する回転ガイド部とを含むカードリーダが提供される。
【００２０】
本発明の他の態様によれば、カードリーダ本体部と、カードリーダ本体部に備えられる接触式カード認識モジュールと、カードリーダ本体部に備えられ、非接触式カード認識モジュールを有する回路基板と、カードリーダ本体部に形成され、接触式カード及び非接触式カードが挿入されるカード挿入口と、カード挿入口内に回転自在に備えられる回転ガイド部とを含み、回転ガイド部は、回転に従って接触式カードをカード挿入口に通過させることにより接触式カード認識モジュールで接触式カードを認識させ、非接触式カードをカード挿入口に挿入した後に接触により移動を制限することにより、非接触式カード認識モジュールで非接触式カードを認識させるカードリーダが提供される。
【発明の効果】
【００２１】
本発明は、一のカードリーダの本体部に接触式カード及び非接触式カードを両方とも挿入させると同時に認識するように一のカード挿入口を構成して各々具備された既存の接触式カードリーダと非接触式カードリーダの代わりに一のカードリーダのみが使用可能して製品の使用を向上させるだけでなく、製品の追加購入コストを低減できる効果を有する。
【００２２】
さらに、本発明は、カードリーダの本体部に形成された一のカード挿入口を介して接触式カード及び非接触式カードを両方とも使用可能であり、それによって製品の使用を一層向上させる効果を有する。
【図面の簡単な説明】
【００２３】
【図１】本発明の一実施形態によるカードリーダの構成を示す分解斜視図である。
【図２】本発明の一実施形態によるカードリーダの結合状態を示す斜視図である。
【図３】本発明の一実施形態によるカードリーダに接触式カードを使用する状態を示す平面図である。
【図４】図３のＡ部を示す拡大平面図である。
【図５】本発明の一実施形態によるカードリーダに非接触式カードを使用する状態を示す平面図である。
【図６】本発明の一実施形態によるカードリーダに非接触式カードを使用する状態を示す側面図である。
【図７】本発明の一実施形態によるカードリーダに非接触式カードと回転ガイド部が接触された状態を示す斜視図である。
【発明を実施するための形態】
【００２４】
以下、本発明の多様な実施形態について添付の図面を参照して詳細に説明する。
【００２５】
本発明の多様な実施形態で使用される用語は、本発明の機能を考慮して現在広く使用される一般的な用語を選択したものであって、これは、当該分野におけるユーザー、運用者の意図又は慣例、及び新たな技術によって変わる場合がある。また、特定の場合、出願人により選択された任意の用語も使用される。この場合、上記用語の意味は、本発明の詳細な説明の該当部分で詳細に説明する。従って、本発明の実施形態で使用される用語は、本明細書の全体内容に基づいて定義されなければならない。
【００２６】
図１は、本発明の一実施形態によるカードリーダの構成を示す分解斜視図であり、図２は、本発明の一実施形態によるカードリーダの結合状態を示す斜視図である。
【００２７】
図１及び図２を参照して、カードリーダ１０の構成について説明する。カードリーダ１０は、カードリーダ本体部２０、接触式カード認識モジュール３０、非接触式カード認識モジュール７０を備える回路基板４０、カード挿入口５０、及び回転ガイド部６０を含む。カードリーダ本体部２０は、後述する接触式カード１１を認識するようにカードリーダ本体部２０内に備えられる。回路基板４０は、後述する非接触式カード１２を認識するように非接触式カード認識モジュール７０を備え、カードリーダ本体部２０内に備えられる。カード挿入口５０は、接触式カード１１及び非接触式カード１２を両方とも挿入可能とされるようにカードリーダ本体部２０に形成されている。回転ガイド部６０は、カード挿入口内に回転可能に設けられており、回転ガイド部６０は、回転に従って接触式カード１１をカード挿入口５０に通過させて、接触式カード認識モジュール３０によって接触式カード１１に備えられる磁気ストライプ(図示せず)を認識させるように構成されているが、回転ガイド部６０は、非接触式カード１２をカード挿入口５０に挿入した後に接触に従って移動を制限して、非接触式カード認識モジュール７０によって非接触式カード１２に具備されるＩＣチップ１２ａを認識させるように構成されている。
【００２８】
すなわち、回転ガイド部６０は、接触式カード１１と接触されると同時に回転してカード挿入口５０を通過させるように構成されているが、回転ガイド部６０は、非接触式カード１２がカード挿入口に挿入される場合に接触されると同時に回転しないので、カード挿入口５０内で移動を制限することができる。
【００２９】
このように、本発明におけるカードリーダでは、カードリーダ本体部２０に接触式カード１１及び非接触式カード１２を挿入させると同時に各々認識して使用するように一のカード挿入口５０が構成されているので、接触式カードリーダと非接触式カードリーダの代替として、一のカードリーダによって接触式カード１１及び非接触式カード１２を使用可能となるので、製品の実用性を向上させるだけでなく、追加的な製品導入コストを低減させることができる。
【００３０】
図１に示すように、カバー部９０は、カードリーダ本体部２０の外部にカードリーダ本体部２０と結合されており、カードリーダ本体部２０を保護するように取り付けられる。また、第１及び第２の接続端子４１，４２は、外部電子機器(図示せず)とカードリーダ本体部２０を電気的に接続させるように回路基板４０に設けられている。第１の接続端子４１は連結ジャックから成り、第２の接続端子４２はＵＳＢ端子から成る場合がある。本実施形態において、第１及び第２の接触端子４１，４２それぞれが接続ジャック及びＵＳＢ端子である場合を例として説明したが、これに限定されるものではない。すなわち、第１及び第２の接続端子４１，４２が外部電子機器(図示せず)と電気的に接続されることを条件として、他の構成であっても多様な変形実施形態に適用可能とされる。
【００３１】
さらに、本発明の実施形態による外部電子機器(図示せず）の適用例としては、多様な通信システムに対応する通信プロトコルに基づいて動作するすべての移動通信端末だけでなく、ＰＭＰ(Portable Multimedia Player)、ＭＰ３プレーヤ、ナビゲーション、ゲーム機、ノートブック、ネットブック、広告板、ＴＶ、デジタル放送プレーヤ、ＰＤＡ(Personal Digital Assistant)、及びスマートフォンのようなすべての情報通信機器とマルチメディア機器、及びそれに対応する応用機器が挙げられる。
【００３２】
また、図１に表わすように、カードリーダ本体部２０の内部には、接触式カード認識モジュール３０及び非接触式カード認識モジュール７０に電源を供給するようにバッテリ部８０が設けられている。接触式カード認識モジュール３０は、接触式カード１１に備えられる磁気ストライプ(図示せず)に格納されたデータを検出するようにＭＳＲ(Magnetic Strip Reader）を具備する磁気ヘッド部から構成されている。すなわち、接触式カード１１は、カード挿入口５０を通過する場合に回転ガイド部６０と接触されると同時に回転するように構成されており、回転ガイド部６０が回転することによって、接触式カード１１を通過させることができる。すなわち、接触式カード１１の磁気ストライプ(図示せず)が磁気ヘッド部を通過すると同時に、磁気ヘッド部が接触式カード１１の磁気ストライプデータを検出して読み取る。
【００３３】
本実施形態では、接触式カード１１は、磁気ストライプを具備する磁気カードから成る。本実施形態の説明では、磁気カードを接触式カード１１の一例として挙げているが、これに限定されるものではない。すなわち、接触式カード１１は、磁気ヘッド部に接触されると同時に磁気ヘッド部でデータを読み取り可能なカードの構成であることを条件として、多様な変形例である実施形態に適用可能とされる。
【００３４】
図１及び図２に表わすように、非接触式カード認識モジュール７０は、非接触式カード１２内に備えられるＩＣチップ１２ａに格納されている情報を読み出すリーダ部を含む。すなわち、非接触式カード１２は、カード挿入口５０内に挿入されると同時に、回転ガイド部６０との接触によって挿入状態を維持したまま移動制限され、リーダ部が、非接触式カード１２のＩＣチップ１２ａの情報を読み取る。
【００３５】
ここで、非接触式カード１２は、ＩＣチップ１２ａを内蔵したＩＣカードから成る場合がある。同様に、本発明の実施形態の説明では、非接触式カード１２をＩＣカードの一例として挙げているが、これに限定されるものではない。すなわち、非接触式カード１２は、リーダ部と接触しない非接触カードを構成することを条件として、多様な変形例である実施形態に適用可能とされる。
【００３６】
ここで、回転ガイド部６０について、より具体的に説明する。図１及び図２に示すように、回転ガイド部６０は、回転孔６１、回転部６２、回転ヒンジ部６３、及び弾性部材６４を含む。回転孔６１は、後述する回転部６２を回転させるように及び回転を制限するように、カード挿入口５０に形成されている。回転部６２は、接触式カード１１と接触されると同時に接触式カード１１を回転させることによって接触式カード１１がカード挿入口を通過するように、及び、非接触式カード１２と接触されると同時にカード挿入口の内部における非接触式カード１２の移動を制限するように、回転孔６１に設けられている。回転ヒンジ部６３は、回転部６２を回転可能に支持するように回転孔６１に隣接して位置する。弾性部材６４は、回転部６２に結合されており、回転部６２が回転可能とされるように弾性力を作用させる。
【００３７】
弾性部材６４は、ワイヤーバネである場合がある。弾性部材６４は、ワイヤーバネのみならず、コイルバネ及び板バネのような他のタイプのバネであっても適用可能とされる。
【００３８】
また、接触ストッパ部６１ａは、非接触式カード１２をカード挿入口５０に挿入した後に回転部６２と接触して非接触式カード１２の移動を制限するように回転孔６１に取り付けられる。すなわち、接触ストッパ部６１ａは、回転部６２の一端と接触されると同時に回転部６２の回転を制限する。言い換えれば、カード挿入口５０の一方の入口に接触式カード１１を挿入する場合、接触式カード１１が回転部６２に接触され、回転部６２の一端は接触ストッパ部６１ａから離脱されると同時に回転部６２を回転させる。このとき、接触式カード１１は、カード挿入口５０から通過される。接触式カード１２がカード挿入口５０を通過した後に、回転部６２が弾性部材６４によって回転され再び元の位置に戻ると同時に、回転部６２の一端が接触ストッパ部６１ａに接触され、回転部６２の回転が制限される。
【００３９】
カード挿入口５０の反対側の他方の入口に非接触式カード１２を挿入する場合、非接触式カード１２は、回転部６２と接触して回転部６２の移動を制限する。すなわち、カード挿入口５０に結合された非接触式カード１２は、カードリーダ本体部２０に備えられる非接触式カード認識モジュール７０によって認識される。
【００４０】
ここで、図１及び図２を参照してカードリーダの組み立てを説明すれば、まず、図１及び図２に示すように、回転部６２は、カード挿入口５０が形成されたカードリーダ本体部２０に回転可能に設けられている。このとき、カードリーダ本体部２０には、回転孔６１が回転部６２を受容するように形成されているので、回転部６２は、回転孔６１に回転可能に配置されている。
【００４１】
ここで、回転部６２の回転を支持する回転ヒンジ部６３が、回転孔６１に隣接して位置するので、回転部６２は、回転ヒンジ部６３に回転可能に結合されている。
【００４２】
回転ヒンジ部６３は、カードリーダ本体部２０にネジ結合して固定されている。言い換えれば、回転ヒンジ部６３の両側には、ヒンジ孔６３ａが形成されており、回転部６２のヒンジアーム６２ａがヒンジ孔６３ａに結合されている。このとき、回転部６２のヒンジアーム６２ａには、回転部に弾性力を作用させるために弾性部材６４が結合されている。接触式カード認識モジュール３０は、カードリーダ本体部２０に設けられており、非接触式カード認識モジュール７０を具備した回路基板４０は、カードリーダ本体部２０に設けられている。このとき、接触式カード認識モジュール３０と非接触式カード認識モジュール７０とは、カードリーダ本体部２０の内部に並列に配置されている。バッテリ部８０は、非接触式カード認識モジュール７０に電源を供給するように、カードリーダ本体部２０に配置されている。カバー部９０は、カードリーダ本体部２０の外部に装着される。
【００４３】
この状態におけるカードリーダの動作について、より具体的に説明する。まず、図３は、本発明によるカードリーダ本体部２０のカード挿入口５０に接触式カード１１を使用する状態を示す平面図であり、図４は、図３のＡ部の拡大平面図であり、図５は、本発明によるカードリーダ本体部２０のカード挿入口５０に非接触式カード１２を使用する状態を示す平面図であり、図６は、本発明によるカードリーダに非接触式カード１２を使用する状態を示す側面図であり、図７は、本発明の一実施形態によるカードリーダに非接触式カード１２と回転ガイド部６０が接触された状態を示す斜視図である。
【００４４】
図３及び図４に示すように、カード挿入口５０の一側に接触式カード１１を挿入して通過させる。すなわち、接触式カード１１をカード挿入口５０の一側から始めて左側から右側へ通過させると、接触式カード１１は、カード挿入口５０に挿入されると同時に回転ガイド部６０の回転部６２に接触される。このとき、回転部６２は、接触式カード１１が接触されると同時に回転して、接触式カード１１をカード挿入口５０から通過させる。接触式カード１１が回転部６２を通過する場合には、カードリーダ本体部２０に具備される接触式カード認識モジュール３０が、接触式カード１１に具備される磁気ストライプ(図示せず)データを読み取る。
【００４５】
接触式カード認識モジュール３０は、第１及び第２の接続端子４１，４２を通じて外部電子機器(図示せず)に磁気ストライプデータを印加する。
【００４６】
図３に示すように、接触式カード１１がカード挿入口５０を通過すると、回転部６２は、弾性部材６４によって再び回転して元の位置に戻る。このとき、回転部６２の一端は、回転孔６１に形成された接触ストッパ部６１ａに接触するので、回転部６２の回転が制限される。
【００４７】
ここで、ユーザーが非接触式カード１２を使用する場合、図５及び図６に示すように、非接触式カード１２をカード挿入口５０の他側に挿入する。すなわち、非接触式カード１２をカード挿入口５０の右側から左側へ挿入すると、非接触式カード１２が回転部６２に接触するので、非接触式カード１２の挿入移動が停止される。
【００４８】
換言すれば、図５に示すように、非接触式カード１２がカード挿入口５０の他側から始まって右側から左側へ挿入する場合には、非接触式カード１２は、カード挿入口５０を全く通過するのでなく、カード挿入口５０の中間部分以上で回転部６２と接触し、回転部６２の移動を制限する。回転部６２は、接触ストッパ部６１ａに接触された状態であるので、回転部６２は回転しない。
【００４９】
このとき、図７に示すように、非接触式カード１２は、カードリーダ本体部２０に備えられる非接触式カード認識モジュール７０に対応し、このとき、非接触式カード１２は、非接触式カード認識モジュール７０に近接するようになる。非接触式カード認識モジュール７０は、非接触式カード１２に備えられるＩＣチップ１２ａ(図示せず）の情報を読み取って認識する。
【００５０】
さらに、非接触式カード認識モジュール７０に備えられるＲＦモジュール(図示せず)及びアンテナ(図示せず)が、非接触式カード１２の信号を受信し、この信号は、非接触式カード認識モジュール７０の信号処理部(図示せず）に印加される。
【００５１】
信号処理部(図示せず）は、第１及び第２の接続端子４１，４２を通じて外部電子機器(図示せず）に信号を印加する。
【００５２】
このように、既存の接触式カード(図示せず)及び非接触式カード(図示せず)を使用する場合、各々のカードリーダ(図示せず)を具備しなければならないので、製品の購入コストが増加するという短所がある。また、既存の接触式カード及び非接触式カード兼用カードリーダは、カードリーダに接触式カード及び非接触式カードを挿入させる各々のカード挿入口を具備した状態で、ユーザーが接触式カードを使用する場合に接触式カード専用カード挿入口に接触式カードを挿入移動させ、非接触式カードを使用する場合に備えられる非接触式カード専用のカード挿入口に挿入移動させなければならないので、使用上の不便さが増加した。
【００５３】
従って、本発明のカードリーダ１０(図１に図示）は、このような問題を解決するために一のカード挿入口５０(図１に図示)に接触式カード１１(図３に図示)及び非接触式カード１２(図５に図示)をすべて使用するように構成されることで、既存のカードリーダを使用に従って追加購入する必要がないので、製品の購入コストを低減させ、且つ使用上の利便性を向上させることができる。
【００５４】
以上、本発明の多様な実施形態にによるカードリーダは、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００５５】
１０    カードリーダ
１１    接触式カード
１２    非接触式カード
１２ａ  ＩＣチップ
２０    カードリーダ本体部
３０    接触式カード認識モジュール
４０    回路基板
４１    第１の接触端子
４２    第２の接触端子
５０    カード挿入口
６０    回転ガイド部
６１    回転孔
６１ａ  接触ストッパ部
６２    回転部
６２ａ  ヒンジアーム
６３    回転ヒンジ部
６３ａ  ヒンジ孔
６４    弾性部材
７０    非接触式カード認識モジュール
８０    バッテリ部
９０    カバー部
【図１】
0006291054.tif 000002
【図２】
0006291054.tif 000003
【図３】
0006291054.tif 000004
【図４】
0006291054.tif 000005
【図５】
0006291054.tif 000006
【図６】
0006291054.tif 000007
【図７】
0006291054.tif 000008